(57)【要約】      （修正有）【課題】海洋散骨にあっては、骨粉を収容している水溶性の袋は着水すると直ちに溶解するために、骨粉は一瞬にして視界から消えてしまい、セレモニーとしての風情や情緒といったものを感じにくい。【解決手段】海洋散骨用氷塊１００は、骨粉と水とを混合した骨粉混合水を凍結させた骨粉混合氷９０が、含まれることを特徴とする。貫通穴１５に骨粉混合水５が満たされた基材氷１０は、不図示の冷凍庫などに収容し、骨粉混合水５を骨粉混合氷９０へと凍結させることで、海洋散骨用氷塊１００を得る。海洋散骨用氷塊によれば、セレモニーとしての風情や情緒を堅持しつつ、手間やコストを低減できる海洋散骨を行うことができる。【選択図】図３
2018068461.tif 000002
【特許請求の範囲】
【請求項１】
骨粉と水とを混合した骨粉混合水を凍結させた骨粉混合氷が、含まれることを特徴とする海洋散骨用氷塊。
【請求項２】
貫通穴が設けられた基材氷の前記貫通穴に前記骨粉混合氷が配されることを特徴とする請求項１に記載の海洋散骨用氷塊。
【請求項３】
前記基材氷の中には生花が配されることを特徴とする請求項２に記載の海洋散骨用氷塊。
【請求項４】
前記基材氷の表面には打刻部が設けられることを特徴とする請求項２又は請求項３に記載の海洋散骨用氷塊。
【請求項５】
前記基材氷には取っ手部が設けられることを特徴とする請求項２乃至請求項４のいずれか１項に記載の海洋散骨用氷塊。
【請求項６】
前記基材氷にはラウンド部が設けられることを特徴とする請求項２乃至請求項５のいずれか１項に記載の海洋散骨用氷塊。
【請求項７】
前記基材氷が有色であることを特徴とする請求項２乃至請求項６のいずれか１項に記載の海洋散骨用氷塊。
【請求項８】
骨粉と水とを混合し骨粉混合水とする工程と、
前記骨粉混合水を凍結させて骨粉混合氷とし、海洋散骨用氷塊を得る工程と、
を有することを特徴とする海洋散骨用氷塊の作製方法。
【請求項９】
骨粉と水とを混合した骨粉混合水を凍結させた骨粉混合氷が含まれる海洋散骨用氷塊を準備する工程と、
前記海洋散骨用氷塊を海に投棄する工程と、
を有することを特徴とする海洋散骨方法。
【発明の詳細な説明】
【技術分野】
【０００１】
本発明は、洋上で故人の遺骨を散骨する際に用いる海洋散骨用氷塊、及びこのような海洋散骨用氷塊の作製方法、及び海洋散骨用氷塊を用いた海洋散骨方法に関するものである。
【背景技術】
【０００２】
近年、核家族化や少子化の進展により家族の形態が多様化し、墓地による埋葬を必ずしも希望しない人が増えている。遺骨を墓地に埋葬しない葬送方法の一つとして、火葬した遺骨を、例えば、特許文献１（特開２０１２−１２１０１４号公報）記載の装置などで粉末（骨粉）として、これを水溶性の袋に詰めて、沖合で献花など共に海に投棄する海洋散骨が知られている。
【特許文献１】特開２０１２−１２１０１４号公報
【発明の概要】
【発明が解決しようとする課題】
【０００３】
しかしながら、上記のような従来の海洋散骨にあっては、骨粉を収容している水溶性の袋は着水すると直ちに溶解するために、骨粉は一瞬にして視界から消えてしまい、セレモニーとしての風情や情緒といったものを感じにくい、といった問題があった。
【０００４】
また、従来、前記のような水溶性の袋を用いるために、雨の場合は、袋に水がかからないよう多大な注意を払ったり、或いは、場合によっては海洋散骨自体を中止したりする必要があり、天候に左右されやすく、手間やコストがかかりやすい、という問題もあった。
【課題を解決するための手段】
【０００５】
この発明は、上記課題を解決するものであって、本発明に係る海洋散骨用氷塊は、骨粉と水とを混合した骨粉混合水を凍結させた骨粉混合氷が、含まれることを特徴とする。
【０００６】
また、本発明に係る海洋散骨用氷塊は、貫通穴が設けられた基材氷の前記貫通穴に前記骨粉混合氷が配されることを特徴とする。
【０００７】
また、本発明に係る海洋散骨用氷塊は、前記基材氷の中には生花が配されることを特徴とする。
【０００８】
また、本発明に係る海洋散骨用氷塊は、前記基材氷の表面には打刻部が設けられることを特徴とする。
【０００９】
また、本発明に係る海洋散骨用氷塊は、前記基材氷には取っ手部が設けられることを特徴とする。
【００１０】
また、本発明に係る海洋散骨用氷塊は、前記基材氷にはラウンド部が設けられることを特徴とする。
【００１１】
また、本発明に係る海洋散骨用氷塊は、前記基材氷が有色であることを特徴とする。
【００１２】
また、本発明に係る海洋散骨用氷塊の作製方法は、骨粉と水とを混合し骨粉混合水とする工程と、前記骨粉混合水を凍結させて骨粉混合氷とし、海洋散骨用氷塊を得る工程と、を有することを特徴とする。
【００１３】
また、本発明に係る海洋散骨方法は、骨粉と水とを混合した骨粉混合水を凍結させた骨粉混合氷が含まれる海洋散骨用氷塊を準備する工程と、前記海洋散骨用氷塊を海に投棄する工程と、を有することを特徴とする。
【発明の効果】
【００１４】
本発明に係る海洋散骨用氷塊は、骨粉と水とを混合した骨粉混合水を凍結させた骨粉混合氷が用いられており、このような本発明に係る海洋散骨用氷塊によれば、セレモニーとしての風情や情緒を堅持しつつ、手間やコストを低減できる海洋散骨を行うことができる。
【００１５】
また、本発明に係る海洋散骨用氷塊の作製方法によれば、セレモニーとしての風情や情緒を堅持しつつ、手間やコストを低減できる海洋散骨用氷塊を作製することが可能となる。
【００１６】
また、本発明に係る海洋散骨方法によれば、セレモニーとしての風情や情緒を堅持しつつ、手間やコストを低減できる。
【図面の簡単な説明】
【００１７】
【図１】本発明の実施形態に係る海洋散骨用氷塊１００に用いる基材氷１０を示す図である。
【図２】本発明の実施形態に係る海洋散骨用氷塊１００の作製工程を示す図である。
【図３】本発明の実施形態に係る海洋散骨用氷塊１００を示す図である。
【図４】本発明の実施形態に係る海洋散骨用氷塊１００による海洋散骨方法の様子を示す図である。
【図５】本発明の他の実施形態に係る海洋散骨用氷塊１００を示す図である。
【図６】本発明の他の実施形態に係る海洋散骨用氷塊１００を示す図である。
【図７】本発明の他の実施形態に係る海洋散骨用氷塊１００を示す図である。
【図８】本発明の他の実施形態に係る海洋散骨用氷塊１００を示す図である。
【図９】本発明の他の実施形態に係る海洋散骨用氷塊１００を示す図である。
【発明を実施するための形態】
【００１８】
以下、本発明の実施の形態を図面を参照しつつ説明する。図１は本発明の実施形態に係る海洋散骨用氷塊１００に用いる基材氷１０を示す図である。
【００１９】
本発明は、火葬した遺骨を、粉砕装置（不図示）などにより２ｍｍ以下のパウダー状の粉末（以下、「骨粉」という）として、骨粉と水とを混合した骨粉混合水５を得て、さらにこの骨粉混合水５を凍結させた骨粉混合氷９０が含まれる海洋散骨用氷塊１００を作製し、作製した海洋散骨用氷塊１００を沖合で海上に投棄することによって、散骨を行うものである。
【００２０】
本発明に係る海洋散骨用氷塊１００としては、骨粉と水とを混合した骨粉混合水５を凍結させた骨粉混合氷９０が含まれるものであれば、どのような形態のものであってもよい。
【００２１】
海洋散骨用氷塊１００に骨粉混合氷９０が含まれる形態は任意であるが、本実施形態では基材氷１０を用いて、海洋散骨用氷塊１００の作製を行うことで、海洋散骨用氷塊１００作製の効率化を図る。
【００２２】
基材氷１０は、骨粉混合氷９０を配して、海洋散骨用氷塊１００となすための型枠のようなものである。このような基材氷１０は、海洋散骨の依頼が来たときのために、予め複数準備しておくようにすることもできる。
【００２３】
基材氷１０は水を凍らせることで得られる板状の氷である。基材氷１０は、第１面１１と、この第１面１１と対向する第２面１２とを有している。また、基材氷１０においては、第１面１１から第２面１２に貫通する貫通穴１５が設けられている。
【００２４】
この貫通穴１５によって構成される空間には、骨粉と水とを混合した骨粉混合水５を凍結させた骨粉混合氷９０が配されることが想定されている。本実施形態では、貫通穴１５の開口形状は円形であるが、本発明においては貫通穴１５の開口の形をどのようにするかは任意である。
【００２５】
基材氷１０の作製においては、不図示の型などを用いて、図１に示す基材氷１０の形状に水を凍結させることができる。また、板状の氷に、ドリル（不図示）などで貫通穴１５を形成することで、基材氷１０を作製することもできる。
【００２６】
なお、本実施形態では、基材氷１０の中央部に貫通する貫通穴１５を形成することで、骨粉混合氷９０が配される空間を設けるようにしているが、骨粉混合氷９０を収容する空間が基材氷１０に設けられるような形態であれば貫通穴１５に限定されるものではない。例えば、基材氷１０の中央部に貫通しない、凹部による、骨粉混合氷９０のための収容空間を設けるようにしてもよい。
【００２７】
次に、上記のような基材氷１０を用いて本発明に係る海洋散骨用氷塊１００を作製する工程について説明する。図２は本発明の実施形態に係る海洋散骨用氷塊１００の作製工程を示す図である。
【００２８】
まず、本発明に係る海洋散骨用氷塊１００の作製においては、骨粉と水とを混合した骨粉混合水５をピッチャーＰなどの容器に準備しておく。
【００２９】
次に、基材氷１０は不図示の型枠などに載置しておき、貫通穴１５にピッチャーＰから、骨粉混合水５を注いで、骨粉混合水５によって貫通穴１５を満たす。ここで、前記型枠により、貫通穴１５の下部側から液体が漏れ出ないようにしておく。
【００３０】
続いて、貫通穴１５に骨粉混合水５が満たされた基材氷１０は、不図示の冷凍庫などに収容し、骨粉混合水５を骨粉混合氷９０へと凍結させることで、図３に示す海洋散骨用氷塊１００を得る。図３は本発明の実施形態に係る海洋散骨用氷塊１００を示す図である。
【００３１】
図３に示すような海洋散骨用氷塊１００を作製する上では、用いる材料としては基本的には水だけであるので材料費が安く、コストがかからない、というメリットがある。また、海洋散骨用氷塊１００は、板状体の氷であるので、取り扱い性が優れる、というメリットがある。また、骨粉混合水５を準備する際、骨粉は水と混ぜられるので、骨粉の乾燥工程なども不要となる、というメリットもある。
【００３２】
次に、本発明に係る海洋散骨用氷塊１００を用いた海洋散骨について説明する。作製された海洋散骨用氷塊１００は、可搬型の保冷庫などに入れられて、ボートＢが出港する港まで運ばれる。ここで、保冷庫としては、電源を用いたものの外に、クーラーボックスなどを用いてもよい。
【００３３】
続いて、海洋散骨用氷塊１００を積載したボートＢによって、船の航路や、漁場等でない海域に向かう。当該海域に到着したら、必要に応じてセレモニーを行い、人Ｍによって海洋散骨用氷塊１００が海上に投棄され、海洋散骨が完了する。図４は本発明の実施形態に係る海洋散骨用氷塊１００による海洋散骨方法の様子を示す図である。
【００３４】
ここで、投棄された海洋散骨用氷塊１００は、海上で浮くことが大きな１つのポイントとなる。また、海上において、海洋散骨用氷塊１００を構成する基材氷１０と、中央部に配されている骨粉混合氷９０とが、徐々に溶解することもポイントとなる。
【００３５】
また、海洋散骨用氷塊１００は、従来用いられていた水溶性の袋とは異なり、雨などに多少あたったとしても、溶解してしまうようなことはなく、ボートＢ上でセレモニーなどを行う際において、海洋散骨用氷塊１００の取り扱いに、必要以上に神経をとがらせる必要もなくなる。また、海洋散骨を行う際、天候が不順となることで、予定していたボートＢの出港を中止したり延期したりするような必要もなくなる。
【００３６】
以上のような本発明に係る海洋散骨用氷塊１００は、骨粉と水とを混合した骨粉混合水５を凍結させた骨粉混合氷９０が用いられており、このような本発明に係る海洋散骨用氷塊１００によれば、セレモニーとしての風情や情緒を堅持しつつ、手間やコストを低減できる海洋散骨を行うことができる。
【００３７】
また、本発明に係る海洋散骨用氷塊１００の作製方法によれば、セレモニーとしての風情や情緒を堅持しつつ、手間やコストを低減できる海洋散骨用氷塊１００を作製することが可能となる。
【００３８】
また、本発明に係る海洋散骨方法によれば、セレモニーとしての風情や情緒を堅持しつつ、手間やコストを低減できる。
【００３９】
次に、本発明の他の実施形態について説明する。いくつかの実施形態について説明するが、異なる実施形態同士を組み合わせてなした実施形態についても、本発明の範疇に含まれるものである。
【００４０】
図５は本発明の他の実施形態に係る海洋散骨用氷塊１００を示す図である。本実施形態は、基材氷１０の中に、生花２０が凍結されて配されていることを特徴としている。このような海洋散骨用氷塊１００によれば、最初の実施形態で説明した効果を享受することが可能となると共に、海洋散骨用氷塊１００の美観や儀式性、荘厳性を高めることができる。
【００４１】
なお、図５に示す生花２０は、１輪ずつのものが複数箇所に配されているものであるが、これに代えて、花びらを用いるようにしてもよい。また、基材氷１０の中に凍結させる生花２０は花輪などであってもよい。また、水溶性で環境に対して配慮がなされたようなものであれば、造花などであっても構わない。
【００４２】
次に、本発明の他の実施形態について説明する。図６は本発明の他の実施形態に係る海洋散骨用氷塊１００を示す図である。本実施形態は、基材氷１０の表面に打刻部３０が設けられていることを特徴としている。打刻部３０としては、故人のアイデンティティーを表す文字列（名前、戒名、故人が好きだった言葉など）や、図形などとすることができる。このような海洋散骨用氷塊１００によれば、最初の実施形態で説明した効果を享受することが可能となると共に、海洋散骨用氷塊１００が複数存在するような場合、海洋散骨用氷塊１００を取り違えるようなことがない。
【００４３】
なお、海洋散骨用氷塊１００の取り違え防止のためには、上記のような文字列や図形などが記された紙などを基材氷１０の中に凍結させるようにすることもできる。ただし、基材氷１０中に入れる紙などの材料としては、分解性が高く、環境に優しいものを用いることに留意しなければならない。
【００４４】
次に、本発明の他の実施形態について説明する。図７は本発明の他の実施形態に係る海洋散骨用氷塊１００を示す図である。本実施形態は、基材氷１０の第１面１１及び第２面１２のそれぞれの両端に、凹状部が設けられている。このような凹状部は、海洋散骨用氷塊１００を取り扱う際の取っ手部４０（取り扱い者の手が引っかかる引っかかり部）として機能する。取っ手部４０として設ける凹状部は、図７に示すような直方体状のものに限らず、任意のものとすることができる。また、取っ手部４０は凹状部に限らず、基材氷１０の表面から突出するような凸状部としてもよい。さらに、取っ手部４０は凹凸状部として引っかかり性を高めるようにすることもできる。
【００４５】
このような海洋散骨用氷塊１００によれば、最初の実施形態で説明した効果を享受することが可能となると共に、海洋散骨用氷塊１００の取り扱い性がより向上する。
【００４６】
次に、本発明の他の実施形態について説明する。図８は本発明の他の実施形態に係る海洋散骨用氷塊１００を示す図である。本実施形態においては、基材氷１０の四隅に曲率を有するラウンド部５０が設けられていることを特徴としている。
【００４７】
これまで説明した基材氷１０においては、計８つの角部があり、海洋散骨用氷塊１００の凍結状態によっては角部で怪我をするようなことも考えられる。そこで、本実施形態においては、基材氷１０の四隅に曲率を有するラウンド部５０を形成しておき、海洋散骨用氷塊１００を取り扱う上での怪我などを防止するものである。
【００４８】
ここで、ラウンド部５０としては、図８に示すようなものに限らず、任意の曲面を有する形状のものとすることができる。このような海洋散骨用氷塊１００によれば、最初の実施形態で説明した効果を享受することが可能となると共に、海洋散骨用氷塊１００の取り扱い上の怪我などを防止することができる。
【００４９】
次に、本発明の他の実施形態について説明する。図９は本発明の他の実施形態に係る海洋散骨用氷塊１００を示す図である。
【００５０】
本実施形態においては、基材氷１０の代わりに、着色された水からなる有色基材氷６０が用いられることを特徴としている。有色基材氷６０を作製する上では、着色のために食紅などを用いると、環境に対する影響を軽減することができる。食紅で着色した水を、凍結させることで有色基材氷６０を作製することができる。有色基材氷６０の色として、黄色などを用いることで海上に投棄された海洋散骨用氷塊１００の視認性を高めることができる。また、海洋散骨用氷塊１００が複数存在するような場合、異なる色の有色基材氷６０からなる複数の海洋散骨用氷塊１００を準備することで、取り違えの発生を防止することができる。
【００５１】
このような海洋散骨用氷塊１００によれば、最初の実施形態で説明した効果を享受することが可能となると共に、海洋散骨用氷塊１００の海上での視認性向上、取り違え防止などの効果を期待することができる。
【００５２】
なお、これまで説明した実施形態においては、海洋散骨用氷塊１００は上面からみると、略矩形状をなすものであったが、例えばペット用の海洋散骨用氷塊１００を作製するような場合には、上面視で動物の形状をなすように作製することなどもできる。また、ペット用の海洋散骨用氷塊１００の場合は、動物の形状そのものとすることもできる。
【００５３】
以上、本発明に係る海洋散骨用氷塊は、骨粉と水とを混合した骨粉混合水を凍結させた骨粉混合氷が用いられており、このような本発明に係る海洋散骨用氷塊によれば、セレモニーとしての風情や情緒を堅持しつつ、手間やコストを低減できる海洋散骨を行うことができる。
【００５４】
また、本発明に係る海洋散骨用氷塊の作製方法によれば、セレモニーとしての風情や情緒を堅持しつつ、手間やコストを低減できる海洋散骨用氷塊を作製することが可能となる。
【００５５】
また、本発明に係る海洋散骨方法によれば、セレモニーとしての風情や情緒を堅持しつつ、手間やコストを低減できる。
【符号の説明】
【００５６】
５・・・骨粉混合水
１０・・・基材氷
１１・・・第１面
１２・・・第２面
１５・・・貫通穴
２０・・・生花
３０・・・打刻部
４０・・・取っ手部
５０・・・ラウンド部
６０・・・有色基材氷
９０・・・骨粉混合氷
１００・・・海洋散骨用氷塊
Ｂ・・・ボート
Ｍ・・・人
Ｐ・・・ピッチャー
【図１】
2018068461.tif 000003
【図２】
2018068461.tif 000004
【図３】
2018068461.tif 000005
【図４】
2018068461.tif 000006
【図５】
2018068461.tif 000007
【図６】
2018068461.tif 000008
【図７】
2018068461.tif 000009
【図８】
2018068461.tif 000010
【図９】
2018068461.tif 000011
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
骨粉と水とを混合した骨粉混合水を凍結させた骨粉混合氷が、含まれることを特徴とする散骨用氷塊。
【請求項２】
貫通穴が設けられた基材氷の前記貫通穴に前記骨粉混合氷が配されることを特徴とする請求項１に記載の散骨用氷塊。
【請求項３】
前記基材氷の中には生花が配されることを特徴とする請求項２に記載の散骨用氷塊。
【請求項４】
前記基材氷の表面には打刻部が設けられることを特徴とする請求項２又は請求項３に記載の散骨用氷塊。
【請求項５】
前記基材氷には取っ手部が設けられることを特徴とする請求項２乃至請求項４のいずれか１項に記載の散骨用氷塊。
【請求項６】
前記基材氷にはラウンド部が設けられることを特徴とする請求項２乃至請求項５のいずれか１項に記載の散骨用氷塊。
【請求項７】
前記基材氷が有色であることを特徴とする請求項２乃至請求項６のいずれか１項に記載の散骨用氷塊。
【請求項８】
骨粉と水とを混合し骨粉混合水とする工程と、
前記骨粉混合水を凍結させて骨粉混合氷とし、散骨用氷塊を得る工程と、
を有することを特徴とする散骨用氷塊の作製方法。
【請求項９】
骨粉と水とを混合した骨粉混合水を凍結させた骨粉混合氷が含まれる海洋散骨用氷塊を準備する工程と、
前記海洋散骨用氷塊を海に投棄する工程と、
を有することを特徴とする海洋散骨方法。
【手続補正３】
【補正対象書類名】明細書
【補正対象項目名】０００５
【補正方法】変更
【補正の内容】
【０００５】
この発明は、上記課題を解決するものであって、本発明に係る散骨用氷塊は、骨粉と水とを混合した骨粉混合水を凍結させた骨粉混合氷が、含まれることを特徴とする。
【手続補正４】
【補正対象書類名】明細書
【補正対象項目名】０００６
【補正方法】変更
【補正の内容】
【０００６】
また、本発明に係る散骨用氷塊は、貫通穴が設けられた基材氷の前記貫通穴に前記骨粉混合氷が配されることを特徴とする。
【手続補正５】
【補正対象書類名】明細書
【補正対象項目名】０００７
【補正方法】変更
【補正の内容】
【０００７】
また、本発明に係る散骨用氷塊は、前記基材氷の中には生花が配されることを特徴とする。
【手続補正６】
【補正対象書類名】明細書
【補正対象項目名】０００８
【補正方法】変更
【補正の内容】
【０００８】
また、本発明に係る散骨用氷塊は、前記基材氷の表面には打刻部が設けられることを特徴とする。
【手続補正７】
【補正対象書類名】明細書
【補正対象項目名】０００９
【補正方法】変更
【補正の内容】
【０００９】
また、本発明に係る散骨用氷塊は、前記基材氷には取っ手部が設けられることを特徴とする。
【手続補正８】
【補正対象書類名】明細書
【補正対象項目名】００１０
【補正方法】変更
【補正の内容】
【００１０】
また、本発明に係る散骨用氷塊は、前記基材氷にはラウンド部が設けられることを特徴とする。
【手続補正９】
【補正対象書類名】明細書
【補正対象項目名】００１１
【補正方法】変更
【補正の内容】
【００１１】
また、本発明に係る散骨用氷塊は、前記基材氷が有色であることを特徴とする。
【手続補正１０】
【補正対象書類名】明細書
【補正対象項目名】００１２
【補正方法】変更
【補正の内容】
【００１２】
また、本発明に係る散骨用氷塊の作製方法は、骨粉と水とを混合し骨粉混合水とする工程と、前記骨粉混合水を凍結させて骨粉混合氷とし、海洋散骨用氷塊を得る工程と、を有することを特徴とする。